【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
キャリッジ通路に沿って走査する移動可能なキャリッジと、
前記移動可能なキャリッジに取り付けられる第１のプリント・カートリッジであって、第１のインク・チャンバを収容するプリント・カートリッジ本体を有し、前記第１のインク・チャンバは変更可能なインク量を収容している第１のプリント・カートリッジと、
前記プリント・カートリッジ本体に支持され、表面上にインク噴出要素を有する基板を含み、前記第１のインク・チャンバと流体的に連絡しているプリントヘッドと、
前記第１のインク・チャンバの少なくとも壁の１つの一部を形成し、前記第１のインク・チャンバ内で前記キャリッジの加速及び減速によるインク圧力の急激な変動を緩和する表面を有し、該表面が前記キャリッジの走査方向に対して垂直である、柔軟性を有するダイアフラムと、
を備えているプリント装置。
【請求項２】
前記第１のインク・チャンバ内のインクが、前記基板の外縁のまわりから前記基板の表面に供給されていると共に、前記基板の前記表面上に形成された前記インク噴出要素に供給されていることを特徴とする、請求項１に記載のプリント装置。
【請求項３】
第２のインク・チャンバを備え、中央の壁が前記第１のインク・チャンバを第２のインク・チャンバから分離しており、前記基板の裏面が前記中央の壁に対してシールされており、前記第１のインク・チャンバ内のインクが、前記基板の第１外縁のまわりから前記基板の前記表面に流れると共に、前記基板の前記表面上のインク噴出要素に流れ、前記第２のインク・チャンバ内のインクが、前記基板の第２外縁のまわりから前記基板の前記表面に流れると共に、前記基板の前記表面上のインク噴出要素に流れるようになっていることを特徴とする、請求項１に記載のプリント装置。
【請求項４】
前記キャリッジ通路はキャリッジ軸を有しており、
該キャリッジ軸に対して略垂直な媒体軸を有する媒体通路と、
固定されたインク供給ステーションと、
前記固定されたインク供給ステーションに取外し可能に搭載された交換式のインク供給容器と、
入口及び出口を有する固定された圧力レギュレータであって、前記入口は、前記交換式のインク供給容器が前記固定されたインク供給ステーションに取外し可能に搭載されたときに前記交換式のインク供給容器と流体的に連絡している固定された圧力レギュレータと、
該圧力レギュレータの前記出口と前記プリント・カートリッジ本体との間を流体的に連絡している柔軟性を有する管路と、
をさらに備えていることを特徴とする、請求項１に記載のプリント装置。
【請求項５】
キャリッジ通路に沿って走査する移動可能なキャリッジと、
前記移動可能なキャリッジに取り付けられ、２つインク・チャンバを収容するプリント・カートリッジ本体であって、前記２つのインク・チャンバを分離する中央の壁を有し、前記インク・チャンバが異なる色のインクを収容しているプリント・カートリッジ本体と、
基板を含み、該基板の表面上にインク噴出要素を有するプリントヘッドであって、前記基板の裏面が前記中央の壁に連結され、前記基板が、前記２つのインク・チャンバの第１と流体的に連絡している第１の外縁と、前記２つのインク・チャンバの第２と流体的に連絡している第２の外縁を有しており、前記第１のインク・チャンバ内のインクが、前記基板の第１外縁のまわりから前記基板の前記表面に流れると共に、前記基板の前記表面上のインク噴出要素に流れ、前記第２のインク・チャンバ内のインクが、前記基板の第２外縁のまわりに流れると共に、前記基板の前記表面上のインク噴出要素に流れるようになっているプリントヘッドと、
を備えているプリント装置。
【請求項６】
前記２つのインク・チャンバの少なくとも壁の１つの一部を形成し、前記キャリッジの加速及び減速によるインク圧力の変動を緩和する柔軟性を有するダイアフラムをさらに備えていることを特徴とする、請求項１に記載のプリント装置。
【請求項７】
インクジェット・プリンタ用のインク配送システムであって、前記インクジェット・プリンタは、固定されたインク供給ステーション、媒体通路及び移動可能な走査キャリッジを備え、該キャリッジは前記媒体通路に対して垂直なキャリッジ軸に沿って走査し、かつ前記キャリッジは媒体にインクを噴出するために取り付けられるプリントヘッドを有しており、前記プリンタは、前記インク供給ステーションに接続される固定されたインク圧力レギュレータを備え、該圧力レギュレータは入口及び出口を有し、前記プリンタは、前記圧力レギュレータと流体的に連絡している前記キャリッジに搭載するためのカートリッジを備え、該カートリッジはインク・チャンバを備え、該インク・チャンバは、前記カートリッジが前記キャリッジに搭載されるときに前記移動可能なキャリッジに配置され、前記インク・チャンバは、変更可能なインク量を収容し、前記インク・チャンバは、該インク・チャンバの少なくとも壁の１つの一部を形成する表面を有する柔軟なダイアフラムを有し、前記表面が前記キャリッジの走査方向に対して垂直であるインク配送システムにおいて、
前記プリンタ上にある前記固定されたインク供給ステーションに取外し可能に搭載され、流体出口を有するインク・リザーバを備え、前記インク・リザーバから流れ出るインクであって、該インクは、前記レギュレータ内でゲージ圧力に応じて開閉するバルブを有する前記レギュレータの前記入口を通り、前記レギュレータの前記出口を通って前記カートリッジの前記インク・チャンバに流れ出すものであり、前記移動可能なキャリッジは、前記インク・チャンバ内のみで生じるインク圧力の急激な変動を前記柔軟性を有するダイアフラムの前記表面を撓ませることによって緩和されていることを特徴とする、インク配送システム。
【請求項８】
インクジェット・プリンタ動作方法であって、該インクジェット・プリンタは、走査キャリッジ、該走査キャリッジに搭載されるプリント・カートリッジ本体、静止した圧力レギュレータ、固定されたインク供給ステーション、及び該固定されたインク供給ステーションに取外し可能に搭載されたインク供給カートリッジを備え、前記プリント・カートリッジ本体は、前記走査キャリッジに搭載され、かつ、プリントヘッド、該プリントヘッドと流体的に連絡しているインク・チャンバ及びダイアフラムを備え、前記インク・チャンバは変更可能なインク量を収容し、前記ダイアフラムは前記インク・チャンバの少なくとも壁の１つの一部を形成する表面を有し、前記表面が前記キャリッジの走査方向に対して垂直であり、前記プリンタは、前記レギュレータと前記インク・チャンバとの間を流体的に連絡している柔軟性を有する管をさらに備えており、
前記走査キャリッジが媒体を横切って走査するとき、前記プリントヘッドに付勢信号を供給して、前記プリントヘッドからインク滴を噴出するステップを含み、
前記プリントヘッドにインクを供給するステップは、
前記プリントヘッドが前記媒体上にインク滴を噴出するときに、前記インク・チャンバ内に負圧を作り出すステップと、
前記インク・チャンバと前記プリンタ内の前記静止した圧力レギュレータとの間を流体的に連絡している前記柔軟性を有する管を経由して、前記インク・チャンバにインクを供給するステップと、
前記プリント・カートリッジ本体内の前記ダイアフラムの表面を撓ませることによって、前記ダイアフラムの表面に対して垂直な前記走査キャリッジの移動に基づく前記インク・チャンバ内のみで生じるインク圧力の急激な変動を緩和するステップと、
を含む方法。
【請求項９】
媒体軸に沿って媒体を運搬する媒体運搬通路を有し、前記媒体軸に略垂直な走査軸に沿って動く走査キャリッジを有するインクジェット・プリント・システム用のインク配送システムであって、
静止したインク供給ステーションと、
第１のインク供給部及び第２のインク供給部を含む複数の取外し可能に搭載されたインク供給部であって、前記静止したインク供給ステーションに支持されるインク供給部と、
前記走査キャリッジ内に搭載され、前記第１のインク供給部が前記静止したインク供給ステーション上に取外し可能に搭載されたときに前記第１のインク供給部から第１のインクのタイプを受け取る第１のチャンバ及び前記第２のインク供給部が前記静止したインク供給ステーション上に取外し可能に搭載されたときに前記第２のインク供給部から第２のインクのタイプを受け取る第２のチャンバを含む少なくとも２つのチャンバを有するプリント・カートリッジであって、前記第１のインクのタイプと前記第２のインクのタイプが異なり、前記プリント・カートリッジが前記第１及び第２のチャンバとそれぞれ流体的に連絡し第１の向きに媒体上にインク滴を噴出する第１及び第２の組のインク噴出要素を有するプリントヘッドを含み、前記第１のチャンバ及び前記第２のチャンバが変更可能なインク量を収容し、前記プリント・カートリッジが、前記第１のチャンバの少なくとも壁の１つの一部を形成する表面を有する減衰要素を備え、前記表面が前記キャリッジの走査方向に対して垂直であり、前記減衰要素が、前記プリント・カートリッジ及び前記走査キャリッジの動きによって前記インク・チャンバ内のみで生じるインク圧力の変動を低減させているプリント・カートリッジと、
前記第１のインク供給部と前記第１のチャンバとの間及び前記第２のインク供給部と前記第２のチャンバとの間にインクの流路を確立する複数の流体通路と、
を備えているインク配送システム。
【請求項１０】
前記プリント・カートリッジは、基板の上面にインク噴出要素を有し、前記基板の上面は前記第１の向きに対して平行であることを特徴とする、請求項９に記載のインク配送システム。